(57)【特許請求の範囲】
【請求項１】
特に高電圧および／または高電流領域用のスイッチング装置（１）であって、
前記スイッチング装置（１）は、２つのコンタクト（３）と、前記コンタクト（３）が互いから電気的に分離される静止位置（Ｉ）に移動可能なスイッチング素子（５）とを備え、
前記スイッチング装置（１）は、検出器（８）を含み、
前記検出器（８）によって、前記スイッチング素子（５）が前記分離位置（Ｉ）にあることが、非接触で検出可能であるスイッチング装置（１）であって、
非接触で測定を行う前記検出器（８）は、光センサであり、
前記スイッチング装置（１）はハウジング（９）を含み、
前記コンタクト（３）は前記ハウジング（９）の内側に配置されており、前記検出器（８）は前記ハウジング（９）の外側に配置されているとともに、
前記スイッチング素子（５）は、コンタクトブリッジ（１８）用のモータ（２０）を含み、
前記検出器は、前記モータ（２０）の方に向けられている、
スイッチング装置（１）。
【請求項２】
前記スイッチング素子（５）は、コイル（７）内に配置されたアーマチュア（６）を含み、
前記アーマチュア（６）の位置は、前記検出器（８）によって非接触で検出可能である、
請求項１に記載のスイッチング装置（１）。
【請求項３】
前記コンタクト（３）が前記スイッチング素子（５）によって互いに接続される橋絡位置にあることを、前記スイッチング素子（５）は、前記検出器（８）によって非接触で検出可能である、
請求項１または２に記載のスイッチング装置（１）。
【請求項４】
前記検出器（８）は、前記スイッチング素子（５）が前記静止位置（Ｉ）にあれば第１の信号が放出され、前記スイッチング素子（５）が前記静止位置（Ｉ）になければ前記第１の信号とは異なる少なくとも１つの更なる信号が放出される信号出力を有する、
請求項１から３のいずれか一項に記載のスイッチング装置（１）。
【請求項５】
前記ハウジング（９）の壁は、信号透過壁領域（１０）を有する、
請求項１から４のいずれか一項に係るスイッチング装置（１）。
【発明の詳細な説明】
【技術分野】
【０００１】
本発明は、２つのコンタクトと、前記２つのコンタクトを互いに電気的に分離する分離位置に移動可能なスイッチング素子とを備える、特に高電圧および／または高電流領域用のスイッチング装置即ちスイッチングアセンブリ（単にスイッチング装置と呼ぶ）に関する。
【背景技術】
【０００２】
かかるスイッチング装置は、例えば、電動自動車において使用されている。例えば、メンテナンス作業時に危険電圧が存在しないことを保証するために、スイッチング装置が適切に絶縁されていることを検出可能である必要がある。
【０００３】
ある従来法の場合、その方法によって、電気回路において直接的に測定が行われる。この場合、測定デバイスを回路に結合するように補助リレーが機能する。しかしながら、これは非常に複雑である。
【０００４】
他の従来法の場合、マイクロスイッチによってスイッチング素子の位置が検知される。しかしながら、これは、マイクロスイッチの部品が故障する可能性があり、スイッチング装置が結果的に影響を受ける可能性があるため信頼性に欠けるので、この方法はもはや確実に機能するとはいえない。更に、かかる課題解決策は、特定の状況下ではマイクロスイッチに高電圧が存在する可能性があるため使用できない場合が多い。
【発明の概要】
【発明が解決しようとする課題】
【０００５】
本発明の目的は、スイッチング装置が絶縁されているか否かを容易に且つ確実に確かめることができる課題解決策を提供することである。
【課題を解決するための手段】
【０００６】
本発明によれば、これは、スイッチング素子が分離位置にあることが、スイッチング素子の位置を非接触測定によって検出することで達成される。この目的のために、本発明に係るスイッチング装置は、検出器を含み、検出器によって、スイッチング素子が分離位置にあることが、非接触で検出できる。
【０００７】
本発明に係る課題解決策は、補助リレーを備える先行技術にて公知の測定よりも単純であるという利点を有する。更に、非接触測定により、高電圧又は高電流が検出器に伝わってしまうことを防ぐ。更に、検出器における不良がスイッチの損傷を招くことがない。従って、本発明に係る課題解決策は、より信頼性の高いものでもある。
【０００８】
本発明に係る課題解決策を、各々が有益であり且つ適宜互いに組み合わせることができる以下の構成及び更なる発展形態によって更に改良することができる。
【０００９】
スイッチング素子は、コンタクトがスイッチング素子によって導電的に互いに接続される橋絡位置（bridging position）に移動可能であってもよい。スイッチング素子が橋絡位置にあるか否かの確認もできるように、スイッチング素子が橋絡位置にあることが、前記検出器によって非接触で検出可能なように検出器を構成することができる。対応する方法では、スイッチング素子が橋絡位置にあることは、スイッチング素子の位置を非接触で測定することによって検出される。
【００１０】
適切に構成された検出器によって、分離位置および／または橋絡位置だけでなく、それらの間にある位置に存在することも検出できる。特に、検出器は、橋絡位置と分離位置との間の連続的又は準連続的な領域にあるスイッチング素子の位置の測定が可能であるように、多くの又は無数の中間位置を検出可能なように構成することができる。
【００１１】
検出器が十分に高い位置分解能を可能にする場合、検出器によって、より長期にわたって発生するスイッチング素子又はコンタクトの摩損も検出できる。その結果、例えば、摩耗が確認できる。時間分解能が適度に高い検出器がある場合、かかる摩耗の測定は、特定の時点においてスイッチング素子又はスイッチング素子を駆動する部材の位置を測定することによって行うこともできる。かかる時点とは、特に、スイッチング素子によるコンタクト同士間の接触の確立、及びスイッチング素子および／またはスイッチング素子を駆動する部材の端部位置の占有である。
【００１２】
コンタクトは、コンタクト開閉室内に配置することができる。その結果、外部影響からのコンタクトの保護及びコンタクトからのその他の部材の保護を実現することができる。スイッチング装置は、リレー又は保護デバイスとすることができる。
【００１３】
スイッチング装置は、検出器によって検出可能な信号を通すことができる信号透過壁領域を有することができる。これは、例えば、壁又は壁の一部における窪み又は開口とすることができ、又は壁を形成することができる。かかる壁は、ハウジング壁、例えば、外部又は内部のハウジング壁とすることができる。
【００１４】
スイッチング素子は、コンタクトブリッジ用の駆動装置を備えることができる。検出器は、駆動装置の方に向けられることができる。分離状態の検出は、コンタクトブリッジ自体を記録しなくても行うことができる。特に、検出器は、コンタクトとは反対側の駆動装置の側に配置することができる。検出器と駆動装置との間には、壁領域が存在することができ、この壁領域は、検出器によって検出可能な信号を通すことができる。これにより、単純且つコンパクトな設計が可能になる。
【００１５】
駆動装置は、コンタクトブリッジと、検出器によって検出可能な信号を通すことができる壁領域との間に配置することができる。駆動装置は、コンタクトブリッジと検出器との間に配置することができる。検出器は、駆動装置に対してコンタクトブリッジとは反対側にあるスイッチング装置の側に配置することができる。その結果、何れの場合も、コンパクトな構成が可能になる。
【００１６】
スイッチング素子は、コイル内に配置されたアーマチュアを含むことができ、アーマチュアの位置は、非接触で検出器によって検出できる。スイッチング素子の位置がアーマチュアの位置から断定されるように、特に、スイッチング素子が分離位置にあることが特定できるように、アーマチュアは、ポジティブロックによって、スイッチング素子のその他の部分に特にしっかりと接続可能である。アーマチュアは、スイッチング素子を駆動するように機能することができる。電流がコイルを流れるか否か、及び電流が有する強度及び向きに応じて、コイルは、スイッチング素子を、分離位置又は橋絡位置又はその外に移動させようとすることができる。従って、ここで、アーマチュアは、力および／または移動をスイッチング素子に伝達する機能を満足するだけでなく、同時に、スイッチング素子の位置に関するインジケータ部材として機能する。
【００１７】
信号透過壁領域は、駆動装置の領域内、特にコイルの領域内に配置することができる。例えば、信号透過壁領域は、コイルの後側の領域内に配置することができる。スイッチング素子に、特にコンタクトブリッジに結合された駆動装置の部材は、信号透過壁領域によって検知ができる。この部材は、特に直接的に、即ち、中間部材を用いずに検知ができる。これにより、単純な構造が可能になる。
【００１８】
検出器はハウジング外部に、コンタクトはハウジング内部に配置することができる。特に、ハウジングは、コンタクト開閉室を含むことができる。検出器が同一のハウジング内、特にコンタクト開閉室内又はそれに近接して配置されていなければ、検出器は、開閉の結果として発生する負荷、例えば、アーク形成に曝されることがない。この結果、検出器は保護され、より長期にわたった使用ができる。検出器は、ハウジングを備えずに設計できる。
【００１９】
検出器は、コンタクトが配置されたハウジングの外側に配置することができる。検出器は、例えば、別体のハウジングに収容される、又はそれ自体のハウジングを有することができる。これにより、検出器からのコンタクトの容易な分離が可能になる。
【００２０】
スイッチング素子の位置は、永続的に監視することができる。特別な測定ステップを省略することができ、その結果、動作が簡略化される。
【００２１】
スイッチング装置は、ハウジングを含むことができる。ハウジングは、同様に、高電圧領域と低電圧領域とを含むことができ、高電圧領域にはコンタクトが配置され、低電圧領域には検出器が配置される。その結果、高電圧と低電圧との分離を実現することができる。ハウジングは、全体として、気体および／または液体を通さないようにすることができ、粉塵の侵入を防止することができる。更に、ハウジングは、危険な高電圧がハウジングの外に逃げることがないように、高電圧を通さないようにすることができる。
【００２２】
第１の構成では、高電圧領域及び低電圧領域は、互いに接続できる。例えば、両領域は、単一の室内に存在することができる。それにより、例えば、いずれにしてもハウジング内において、コンタクトはハウジングの一つの側に配置することができる。また、検出器はハウジングの反対側に配置することができ、検出器は、スイッチング素子の位置を検出できるが、スイッチング素子に直接接触しないようにすることができる。
【００２３】
更なる構成では、高電圧領域及び低電圧領域は、気体および／または液体を通さない信号透過壁領域によって互いに分離可能である。特に、かかる壁領域は、低電圧領域への高電圧の侵入を防止することができる。同時に、壁領域は、検出器による非接触測定において使用される信号を通すことができる。電磁波による測定の場合、壁領域は、電磁波を通すことができる。壁領域は、誘電媒体から又は透磁性材料から形成することができる。これは、例えば、測定が光学的に行われる場合は透明窓又は透明隔壁とすることができる。磁気測定の場合、壁領域は、透磁性又は導磁性とすることができる。
【００２４】
信号透過壁領域は隔壁であってもよく、隔壁は、隔壁がなければ開口している室を２つの部分に分割する。他の構成では、信号透過壁領域は、高電圧領域を低電圧領域から互いに分離する壁の窓である。両構成の場合、高電圧が低電圧領域に侵入することができないように、高電圧領域と低電圧領域は、互いに確実に分離される。従って、電気部材の損傷又はユーザの負傷リスクが軽減する。
【００２５】
更なる有利な構成では、コンタクトが高電圧ハウジング内に配置されること、および／または、検出器が低電圧ハウジング内に配置され、高電圧ハウジングおよび／または低電圧ハウジングは、何れの場合も、気体および／または液体を通さない。従って、これにより、電圧が逃げた結果としてユーザに及ぶ危険を何れの場合も減少する別々のハウジングを含むことができる。非接触測定を可能にするために、壁領域は、測定信号を通過させる高電圧ハウジング上および／または低電圧ハウジング上に存在することができる。例えば、壁又は壁全体には窓が存在してもよく、又はハウジング全体が信号を通すことができるように構成されてもよい。
【００２６】
一つの特に有利な構成では、コンタクトは、高電圧ハウジング内に配置することができ、検出器は、高電圧ハウジングと連結可能な低電圧ハウジング内に配置することができる。第１の実施形態では、高電圧ハウジングは、連結状態において気体および／または液体を通さない。特に、高電圧ハウジングは、非連結状態では気体および／または液体に対して不透過性である必要はないが、低電圧ハウジングとの連結によってのみ気体および／または液体を通さなくすることができる。かかる構成の場合、製造及びメンテナンスが簡易化される。
【００２７】
コンタクト開閉室のハウジング（単数又は複数）について、気体および／または液体を通さない構成は、必ずしも必要ではない。とりわけ、電圧、特に高電圧を通さない構成が有利である。粉塵を通さない構成は更に有利である。
【００２８】
第２の実施形態では、高電圧ハウジングは、低電圧ハウジングと共に連結状態において、気体および／または液体を通さないハウジング全体を形成する。この場合も、高電圧ハウジングおよび／または低電圧ハウジングは、未連結状態において気体および／または液体に対して不透過性である必要はない。かかるシーリングは、２つのハウジングを連結することによってのみ実現できる。かかる構成の場合、製造方法も簡易化される。
【００２９】
一つの単純な構成では、ハウジングは、コンタクト開閉室の壁によって少なくとも部分的に、且つ検出器室の壁によって少なくとも部分的に形成される。その結果、必要な構成部品の個数が減少する。
【００３０】
測定対象の部材に対する検出器の位置を単純に調整するために、スイッチング装置は、調整手段を有することができる。これらにより、例えば、３つ全ての空間的方向において且つ異なる角度に沿う検出器の配置が可能になる。
【００３１】
１つの有利な構成では、非接触測定を行う検出器は、光センサとすることができる。例えば、これは、光バリア、特に、スイッチング素子が分離位置にあることを検出する反射光バリアとすることができる。かかる検出器は、特にトランスミッタとレシーバとを含むことができる。
【００３２】
或いは、その他のセンサ、例えば、超音波センサ又はスイッチング素子の導磁部の存在を検出するセンサも可能である。
【００３３】
非接触測定を行う検出器は、磁界センサであってもよい。かかる磁界センサは、磁界の強度又は強度の変化を検出することができる。磁界は、例えば、取り付けられた磁石、特に永久磁石によって発生させることができる。これは、特に、ホールセンサとすることができる。コイル等の更なる磁界発生部材が存在する場合、これにより、磁界センサは、これらの部材が活性化されていない場合、例えば、コイルに電流が流れていない場合にのみ、検出に使用されるようにすることができる。これは、例えば、分離位置にあることができる。
【００３４】
検出器は、スイッチング素子が分離位置にあれば第１の信号が放出され、スイッチング素子が分離位置になければ第１の信号とは異なる少なくとも１つの更なる信号が伝送される信号出力を有することができる。かかる構成により、単純な信号評価が可能になる。第１及び更なる信号とは異なる第２の信号は、スイッチング素子が、コンタクトがスイッチング素子によって互いに接続される橋絡位置にあれば、信号出力に伝送することができる。その結果、スイッチング素子が橋絡位置にあるというポジティブフィードバックが生成可能となる。信号出力には、更なる信号が存在することができ、特に、第１の信号と第２の信号との間には、連続的又は準連続的な信号領域が存在することができ、例えば、スイッチング素子の位置がより正確に決定できるようにする。これにより、スイッチング素子の移動をより正確に監視可能となる。
【００３５】
本発明に係る課題解決策は、本発明に係るスイッチング装置用のスイッチも含む。かかるスイッチは、非接触測定を行う検出器による測定ができるように構成される。この目的のために、測定信号を通過できるようにする信号透過壁領域が存在することができる。例えば、かかる壁領域は開口又は窓とすることができる。
【００３６】
特に、壁領域は、気体および／または液体を不透過性とすること、および／または、高電圧が逃げないように高電圧を通さなくしたりすることができる。例えば、壁の開口に窓を嵌合することができる。
【００３７】
本発明に係る一つの方法では、検出は、ハウジング壁を介して実施可能である。
【００３８】
本発明を、図面を参照して以下により詳細に一例として説明する。本書に示す有利な構成及び更なる発展形態は、各々、それ自体で有利なものであり、任意の所望の方法にて互いに組み合わせることができる。
【図面の簡単な説明】
【００３９】
【図１】Ｆｉｇ．１は、本発明に係るスイッチング装置の断面の概略図を示す。
【図２】Ｆｉｇ．２は、スイッチの概略的な断面の斜視図を示す。
【図３】Ｆｉｇ．３Ａ及びＦｉｇ．３Ｂは、本発明に係るスイッチング装置の更なる実施形態の細部を示す。
【発明を実施するための形態】
【００４０】
Ｆｉｇ．１には、スイッチング装置１（スイッチングアセンブリ）が示されている。スイッチング装置１は、スイッチ２を含む。このスイッチ２は、コンタクト開閉室４に配置された２つのコンタクト３を備える。スイッチング素子５は、２つのコンタクト３間の電気的接続を確立又は切断するように機能する。この目的のため、スイッチング素子５は、コンタクト３が互いに電気的に分離しているＦｉｇ．１に示す分離位置Ｉと、コンタクト３がスイッチング素子５によって導電的に互いに接続している橋絡位置との間を移動可能である。
【００４１】
スイッチング素子５は、コンタクトブリッジ１８とアーマチュア６とを備える。アーマチュア６は、更なる部材が見えるようにＦｉｇ．１において部分的に切り取られて示されたコイル７内に配置されている。電流がコイルを流れるか否か、及びどの強度及びどの方向に電流がコイルを流れるかに応じて、アーマチュア６ひいてはスイッチング素子５は、開閉方向Ｓに又は開閉方向Ｓの反対方向に移動し、このようにして、スイッチ２は、コンタクト３同士間を導電又は絶縁する。アーマチュア６は、コンタクトブリッジ２０用の駆動装置２０の一部品である。
【００４２】
特に、コンタクト３には、例えば電気駆動自動車で用いられるような高電流又は高電圧が存在してもよい。電気コンタクト３は、使用時にスイッチング素子５に密着する可能性がある。これにより、スイッチ２を開とすることがもはや不可能となり、即ち、適切な絶縁が達成できなくなる。これは、例えば、保守員が作業を行っている際に危険となる。スイッチ２の適切な絶縁を保証できるように、スイッチング装置１は、スイッチング素子５の位置を検出する検出器８を有する。特に、検出器８は、スイッチング素子５が分離位置Ｉにあるか否かを検出する。この目的のために、検出器８は、アーマチュア６の後側６１の領域に向かって整列している。
【００４３】
検出器は、光学測定８を行う検出器８である。検出器８は、反射光バリアとして設計されている。検出器８は、光ビーム８２を伝送するトランスミッタ８１を含む。光ビーム８２は、アーマチュア６の位置及び後側６１の位置に応じてアーマチュア６の後側６１の領域において様々に反射されるので、後側６１の位置に応じて、光ビーム８２の光は多かれ少なかれレシーバ８３内に反射される。レシーバ８３は前記光を電気信号に変換し、下流の電子装置（図示せず）が、スイッチング素子５が分離位置Ｉにあるか否かを評価することができるようにする。
【００４４】
スイッチング素子５が橋絡位置にあることを検出するように、検出器８を構成することもできる。
【００４５】
時間分解能および／または空間分解能が十分に高い場合、スイッチング素子５の移動および／またはアーマチュア６の移動は、時間分解能および／または空間分解能によって全アーマチュアストロークにわたって測定することができる。かかる測定を、例えば、スイッチング素子の摩耗を特定するために用いることができる。かかる摩耗は、例えば、アーマチュア６および／またはスイッチング素子５のストロークが長くなること、および／または、開閉方向Ｓに沿って変位したりすることによって現れることがある。変化した移動プロファイルも摩耗を示すことができる。かかる変化した移動プロファイルは、例えば、以前と現在の位置／時間の特性を対比することによって特定できる。特に、例えば、コンタクト３を閉じた時点でのアーマチュア６の位置、及びアーマチュア６の端部位置が測定できる。この長さは耐用年数の増加と共に長くなるので、このデータから摩耗を断定することができる。
【００４６】
光ビーム８２がアーマチュア６の後側６１に当たることができるように、スイッチ２のハウジング９は、Ｆｉｇ．１に係る構成では開口又は窪みとして構成された信号透過壁領域１０を有する。その他の構成では、信号透過壁領域１０は、例えば、透明窓によって構成することもできる。かかる構成の場合、壁領域１０は、測定に必要な信号を通過させることができるが、ハウジング９のシーリング、特に気体および／または液体を通さないシーリング、及び高電圧を通さないシーリングを可能にする。信号透過壁領域１０は、ハウジング９の後側に配置される。駆動装置２０は、コンタクトブリッジ１８と壁領域１０との間にある。更に、前記駆動装置は、コンタクトブリッジ１８と検出器８との間にある。駆動装置２０は、ハウジング９の外側にある。気体及び液体を通さないシーリングは絶対に必要というわけではない。電圧、特に高電圧を通さないシーリングであれば通常は十分である。粉塵を通さないシーリングも有利である。
【００４７】
壁領域１０は、コイル７の領域、即ち、駆動装置２０の領域にある。それにより、更なる中間部材を用いずに、駆動装置２０の部材、即ちアーマチュア６の直接的な検知が可能になる。
【００４８】
Ｆｉｇ．１に示す実施形態の場合、検出器８及びスイッチ２は、互いから離間している。両者は、いずれの場合も、各々のハウジング内に位置している。他の構成では、検出器８とスイッチ２は、単一のハウジング９内で一体化させることができる。かかるハウジングは、全体として、気体および／または液体および／または高電圧を通さないようにすることができる。かかるハウジング９内には、コンタクト３が配置された高電圧領域と、低電圧で動作する部材、例えば、検出器８が配置された低電圧領域とが存在することができる。両領域は、信号透過壁領域１０によって互いから分離させることができ、特に、気体および／または液体および／または高電圧を通さないような方法で、互いに分離可能である。
【００４９】
Ｆｉｇ．１の構成に類似する一つの構成では、コンタクトは第１のハウジング内に配置することができ、検出器８は第２のハウジング９内に配置することができる。コンタクト３を備えるハウジングは高電圧ハウジングであり、検出器８を備えるハウジングは低電圧ハウジングである。例えば、開口箇所、例えば、壁領域１０も、低電圧ハウジングによって封止できるので、前記２つのハウジングは、高電圧ハウジングが、連結状態においてのみ高電圧に耐え封止されるように、互いに連結が可能である。特に、連結状態の高電圧ハウジングと低電圧ハウジングは、気体および／または液体および／または高電圧を通さないハウジング全体を成すことができ、非連結状態では、少なくとも１つのハウジングは、気体および／または液体および／または電圧に対して不透過性ではない。
【００５０】
検出器は、駆動装置２０の方に向けられている。コンタクトブリッジ１８の位置を直接的に検出することは必須ではない。検出器８は、コンタクト３とは反対側の駆動装置２０の側に配置される。検出器８による測定の信号を通す壁領域１０は、検出器８と駆動装置２０との間に配置される。この配置、特に、検出器８が、コンタクト３の近傍に配置されていない、特に、コンタクト開閉室４内又はハウジング９内にないという事実によって、検出器８は、特に開閉過程で負荷又はコンタミネーションに曝されることがないため、保護されることになる。特に、検出器８は、開放時に発生するアークプラズマに曝されることがない。
【００５１】
スイッチ２の部分断面図が、Ｆｉｇ．２に遠近法によって示される。スイッチング素子５は、先と同様に、図示しない橋絡位置にあれば、導電的な方法でコンタクト３を接続する。この目的のために、スイッチング素子５は、アーマチュア６と、アーマチュア６に接続されたコンタクトブリッジ１８とを含む。ここでの接続は、接続部材１１を介して間接的に行われる。ばね１２は、接続部材１１の上側に対して、又は、橋絡状態ではコンタクト３に対して、コンタクトブリッジを押圧する。アーマチュア６は、コイル７内に配置された摩擦ベアリング１３内に配置されている。ここで、ばね１４は、分離位置Ｉの方向にアーマチュアを予め押圧している。コイル７は、概略的にのみ示すコイル本体１５と巻線１６とを含む。
【００５２】
信号透過壁領域１０は、ここではハウジング９の開口として構成されており、特にはっきりと示されている。アーマチュア６の位置ひいてはスイッチング素子５の位置は、壁領域１０を通して非接触で検出できる。非接触な検知の結果、検出器には高電圧が伝達されないことが保証される。
【００５３】
Ｆｉｇ．３Ａ及びＦｉｇ．３Ｂには、異なる構成のスイッチング装置１の細部が概略的に示されており、この場合も、アーマチュア６の位置測定が非接触で行われる。ここで使用される検出器８は、磁界を測定することができるセンサを含む。これは、例えば、ホールセンサを含むことができる。アーマチュア６の位置に応じて、磁気回路１７は、ホールセンサが磁界Ｍの異なる方向や強度を測定するように開閉される。このようにしても、アーマチュアの位置及びアーマチュアに接続されたスイッチング素子５の位置は推定することができる。この場合も同様に、測定は非接触で行われる。
【符号の説明】
【００５４】
１     スイッチング装置
２     スイッチ
３     コンタクト
４     コンタクト開閉室
５     スイッチング素子
６     アーマチュア
７     コイル
８     検出器、磁界センサ
９     ハウジング
１０   壁領域
１１   コンタクトばね
１２   接続部材
１３   ブッシュベアリング
１４   解除ばね
１５   コイル本体
１６   巻線
１７   センサ磁束ガイド
１８   コンタクトブリッジ
２０   モータ
６１   アーマチュアの後側
８１   光源
８２   光ビーム
８３   光センサ
Ｉ     静止位置
Ｓ     開閉方向
【図１】
0006715576.tif 000002
【図２】
0006715576.tif 000003
【図３】
0006715576.tif 000004